(57)【要約】【課題】本発明は、互いに関連した個別の印刷情報が印刷された所定数の丁合体に対し、各丁合体の関連性を確認する丁合照合を行って丁合を行う丁合体照合方法および丁合システムに関し、容易に目視照合が可能な形態で機械的な丁合照合を可能として丁合の確実性を図ることを目的とする。【解決手段】丁合対象の各丁合体１７Ａ〜１７Ｃにはそれぞれ関連する印刷情報と共に丁合対象同士の関連性を予め定めた色マーク１８Ａ〜１８Ｃが同一部分にそれぞれ印刷されており、丁合対象の各丁合体１７Ａ〜１７Ｃが重ねられた丁合体群１７の重なる互いの色マーク１８Ａ〜１８Ｃに発光手段１４より白色光を照射させ、受光手段１５で入力した透過光に基づいて解析した互いの色マーク１８Ａ〜１８Ｃにおける所定の色特性で互いの色マーク１８Ａ〜１８Ｃの色が予め定められた色であるか否かにより各丁合体の丁合照合を行わせる構成とする。【選択図】  図４
2004203588.tif 000002
【特許請求の範囲】
【請求項１】
互いに関連した個別の印刷情報が印刷された所定の丁合体に対し、各丁合体の関連性を確認する丁合照合を行う丁合体照合方法であって、
前記丁合体にはそれぞれ前記印刷情報が印刷され、丁合対象同士の関連性を予め定めた色マークが同一部分にそれぞれ印刷されており、当該丁合対象の各丁合体のそれぞれが順次供給されて重ねられた丁合体群とされることで当該色マーク同士が重ねられるステップと、
前記丁合体群の重なる互いの色マークに対して色特性検出光を照射させるステップと、
前記色特性検出光による対象の前記互いの色マークからの透過光を入力させるステップと、
前記透過光に基づいて前記互いの色マークにおける所定の色特性を解析させるステップと、
前記解析された所定の色特性で前記互いの色マークの色が予め定められた色であるか否かで前記丁合体群を構成する各丁合体同士の丁合照合を行わせるステップと、
を含むことを特徴とする丁合体照合方法。
【請求項２】
請求項１記載の丁合体照合方法であって、前記色特性の解析は、色に応じた前記透過光の多寡を電気的に変換して行うことを特徴とする丁合体照合方法。
【請求項３】
請求項１記載の丁合体照合方法であって、前記色特性の解析は、色に応じた前記透過光のスペクトルを抽出して行うことを特徴とする丁合体照合方法。
【請求項４】
互いに関連した個別の印刷情報が印刷された所定数の丁合体に対し、各丁合体の関連性を確認する丁合照合を行って丁合を行う丁合システムであって、
前記丁合体にはそれぞれ前記印刷情報が印刷され、丁合対象同士の関連性を予め定めた色マークが同一部分にそれぞれ印刷される所定数の丁合体と、
丁合対象の前記各丁合体のそれぞれを順次供給する丁合体供給手段と、
前記各丁合体を前記丁合体供給手段より順次重ねさせて供給させ、総ての丁合対象の各丁合体を前記色マークが重なる状態の丁合体群として丁合照合位置に搬送させる丁合体搬送手段と、
前記丁合体群における重なる互いの色マークに対して色特性検出光を照射する照射手段と、
前記色特性検出光による対象の前記互いの色マークからの透過光を入力する受光手段と、
前記各丁合体に対して個別性と前記色マークとの関連性を定めた照合テーブルを備え、前記透過光に基づいて前記色マークの所定の色特性を解析し、当該解析された所定の色特性で当該互いの色マークの色が上記照合テーブルで予め定められた色であるか否かで当該各丁合体同士の丁合照合を行う丁合処理手段と、
を有することを特徴とする丁合システム。
【請求項５】
請求項４記載の丁合体システムであって、前記丁合処理手段は、前記色特性の解析を、色に応じた前記透過光の多寡を電気的に変換して行い、または、色に応じた前記透過光のスペクトルを抽出して行うことを特徴とする丁合システム。
【発明の詳細な説明】
【０００１】
【発明の属する技術分野】
本発明は、互いに関連した個別の印刷情報が印刷された所定数の丁合体に対し、各丁合体の関連性を確認する丁合照合を行って丁合を行う丁合体照合方法および丁合システムに関する。
【０００２】
【従来の技術】
近年、例えば複数の帳票を丁合して封筒に封入し、封緘することを自動的に行うようになってきており、特に、帳票がカタログやパンフレット等の送付先顧客に関係なく同一のものを送付する場合から、送付先顧客毎に所定の内容が異なる可変データを印字、印刷して送付することも一般的となってきており、この場合においても各内容の異なる帳票を丁合して封筒に封入、封緘することを自動的に行えるようになってきている。そのため、丁合対象の複数の帳票を確実に丁合照合する必要がある。
【０００３】
従来、この種の丁合システムは、丁合対象の帳票等に管理番号、バーコード、マーク等の識別符号を付しておき、それぞれの帳票等で当該識別符号を認識手段により読み取り、合致または関連付けされたものである場合に丁合を行うものであり、このような丁合を行う技術として、例えば以下の特許文献に記載されている。
【０００４】
【特許文献１】
特開２００１−２４０３００号公報
【特許文献２】
特許第３０６７７２４号公報
【０００５】
【発明が解決しようとする課題】
ところで、各丁合対象の帳票等の丁合照合は、上記のように識別符号を認識手段により読み取る場合であっても、読み取り精度の問題もあって最終的には作業者による目視確認が望ましい。しかしながら、多数のパーソナル情報を個別毎に大量印刷して大量の丁合処理を行う状況では上記のような識別符号を目視照合することは長時間を要して困難であるという問題がある。
【０００６】
そこで、本発明は上記課題に鑑みなされたもので、容易に目視照合が可能な形態で機械的な丁合照合を可能として丁合の確実性を図る丁合体照合方法および丁合システムを提供することを目的とする。
【０００７】
【課題を解決するための手段】
上記課題を解決するために、請求項１の発明では、互いに関連した個別の印刷情報が印刷された所定の丁合体に対し、各丁合体の関連性を確認する丁合照合を行う丁合体照合方法であって、前記丁合体にはそれぞれ前記印刷情報が印刷され、丁合対象同士の関連性を予め定めた色マークが同一部分にそれぞれ印刷されており、当該丁合対象の各丁合体のそれぞれが順次供給されて重ねられた丁合体群とされることで当該色マーク同士が重ねられるステップと、前記丁合体群の重なる互いの色マークに対して色特性検出光を照射させるステップと、前記色特性検出光による対象の前記互いの色マークからの透過光を入力させるステップと、前記透過光に基づいて前記互いの色マークにおける所定の色特性を解析させるステップと、前記解析された所定の色特性で前記互いの色マークの色が予め定められた色であるか否かで前記丁合体群を構成する各丁合体同士の丁合照合を行わせるステップと、を含む構成とする。
【０００８】
請求項２、３の発明では、「前記色特性の解析は、色に応じた前記透過光の多寡を電気的に変換して行う」構成であり、
「前記色特性の解析は、色に応じた前記透過光のスペクトルを抽出して行う」構成である。
【０００９】
請求項４の発明では、互いに関連した個別の印刷情報が印刷された所定数の丁合体に対し、各丁合体の関連性を確認する丁合照合を行って丁合を行う丁合システムであって、前記丁合体にはそれぞれ前記印刷情報が印刷され、丁合対象同士の関連性を予め定めた色マークが同一部分にそれぞれ印刷される所定数の丁合体と、丁合対象の前記各丁合体のそれぞれを順次供給する丁合体供給手段と、前記各丁合体を前記丁合体供給手段より順次重ねさせて供給させ、総ての丁合対象の各丁合体を前記色マークが重なる状態の丁合体群として丁合照合位置に搬送させる丁合体搬送手段と、前記丁合体群における重なる互いの色マークに対して色特性検出光を照射する照射手段と、前記色特性検出光による対象の前記互いの色マークからの透過光を入力する受光手段と、前記各丁合体に対して個別性と前記色マークとの関連性を定めた照合テーブルを備え、前記透過光に基づいて前記色マークの所定の色特性を解析し、当該解析された所定の色特性で当該互いの色マークの色が上記照合テーブルで予め定められた色であるか否かで当該各丁合体同士の丁合照合を行う丁合処理手段と、を有する構成とする。
【００１０】
請求項５の発明では、「前記丁合処理手段は、前記色特性の解析を、色に応じた前記透過光の多寡を電気的に変換して行い、または、色に応じた前記透過光のスペクトルを抽出して行う」構成である。
【００１１】
このように、丁合対象の各丁合体にはそれぞれ関連する印刷情報が印刷され、丁合対象同士の関連性を予め定めた色マークが同一部分にそれぞれ印刷されており、当該丁合対象の各丁合体のそれぞれが順次供給されて重ねられた丁合体群の重なる互いの色マークに対して色特性検出光を照射させ、その透過光に基づいて解析した互いの色マークにおける所定の色特性で当該互いの色マークの色が予め定められた色であるか否かで各丁合体の丁合照合を行わせる。すなわち、各丁合体同士には関連性のある色マークがそれぞれ印刷されていることから容易に目視照合が可能であり、この形態で色特性を検出することで機械的な丁合照合が可能となることから、各丁合体における丁合の確実性を図ることが可能となるものである。
【００１２】
【発明の実施の形態】
以下、本発明の好ましい実施形態を図により説明する。
図１に、本発明に係る丁合システムの概略構成図を示す。図１において、丁合システム１１は、丁合体供給手段１２および丁合体搬送手段１３を備え、当該丁合体搬送手段１３の丁合照合位置であって、適宜、内部に照射手段である発光手段１４が配置され、上方に受光手段１５が配置される。そして、丁合体供給制御、丁合体搬送制御および丁合照合等を行う丁合処理手段１６が備えられる。
【００１３】
また、上記丁合体供給手段１２には、互いに関連した個別の印刷情報が印刷され、丁合対象同士の関連性を予め定めた色マーク１８Ａ〜１８Ｃが同一部分にそれぞれ印刷された丁合体１７Ａ〜１７Ｃが一例として３種類で所定数ずつセットされるもので、各丁合体１７Ａ〜１７Ｃはそれぞれ丁合データに基づいた順番で積み重ねられる。
【００１４】
そして、上記丁合体供給手段１２は丁合対象の各丁合体１７Ａ〜１７Ｃのそれぞれを丁合体搬送手段１３上に順次供給する。上記丁合体搬送手段１３は、各丁合体１７Ａ〜１７Ｃを上記丁合体供給手段１２より順次重ねさせて供給させ、総ての丁合対象の各丁合体１７Ａ〜１７Ｃを各印刷された色マーク１８Ａ〜１８Ｃが重なる状態の丁合体群１７として丁合照合位置に搬送させる。
【００１５】
すなわち、一組の各丁合体１７Ａ〜１７Ｃを丁合するものとして、丁合体供給手段１２より、丁合体１７Ａが丁合体搬送手段１３上に供給されて次の供給位置まで搬送され、当該丁合体１７Ａ上に丁合体１７Ｂが積み重ねられるように供給されて次の供給位置まで搬送される。そして、積み重ねられた丁合体１７Ａ，１７Ｂ上に丁合体１７Ｃが重ねられて供給されることで丁合体群１７とされ、丁合照合位置まで搬送される。当該丁合体群１７は、各丁合体１７Ａ〜１７Ｃの各色マーク１８Ａ〜１８Ｃが重ねられた状態となる。
【００１６】
一方、上記発光手段１４は、丁合体群１７に対して、重なる互いの色マーク１８Ａ〜１８Ｃに色特性検出光である白色光を照射させる。また、上記受光手段１５は、発光手段１４より照射され、上記丁合体群１７の重なる互いの色マーク１８Ａ〜１８Ｃより透過された透過光を入力するもので、例えば光センサにより受光量を電気的に変換し、電気信号として丁合処理手段１６に送出する。
【００１７】
そして、上記丁合処理手段１６は、各丁合体１７Ａ〜１７Ｃに対して個別性と前記色マークとの関連性を定めた照合テーブル（図２で説明する）を備え、受光手段１５で入力された透過光に基づく透過量の電気信号により色マーク１８Ａ〜１８Ｃの透過量を解析し、当該解析された透過量で当該互いの色マーク１８Ａ〜１８Ｃの色が後述の照合テーブルで予め定められた色であるか否かで各丁合体１７Ａ〜１７Ｃ（丁合体群１７）の丁合照合を行うものである。
【００１８】
ここで、図２に、図１の丁合処理手段の構成図を示す。図２（Ａ）は丁合処理手段のブロック構成図であり、図２（Ｂ）は丁合処理手段の備える照合テーブルの一例の説明図である。図２（Ａ）において、丁合処理手段１６は、受光手段１５で入力された透過光に基づく透過量の電気信号により色マークの透過量を解析し、当該解析された透過量で当該互いの色マークの色が後述の照合テーブルで予め定められた色であるか否かで各丁合体の丁合照合を行うもので、適宜、制御手段２１、バス２２、インタフェース（ＩＦ）２３、丁合データ取得手段２４、受光データ解析手段２５、照合手段２６、発光制御手段２７、丁合体供給制御手段２８、丁合体搬送制御手段２９および照合テーブル（ＴＢ）３０を備える。
【００１９】
上記制御手段２１は、このシステムの制御を統括するもので、そのためのプログラムを格納する。上記ＩＦ２３は、発光手段１４に対して白色光を照射させるための制御信号を出力し、受光手段５の受光量に応じた電気信号を入力し、また例えばホストコンピュータより丁合照合対象のそれぞれの丁合体１７Ａ〜１７Ｃに関する丁合のための丁合データを入力する。そして、上記丁合データ取得手段２４が上記入力された丁合データを取得して一旦記憶させておくもので、適宜受光データ解析手段２５および照合手段２６の作業領域としての役割をもなす。
【００２０】
上記受光データ解析手段２５は、上記受光手段１５からの受光量に応じた電気信号に基づいて解析を行い、当該色における透過光の多寡を色特性とする。上記透過光の多寡としては、透過量または透過率があり、概念は同様である。ここでは、透過量として説明する。上記照合手段２６は、上記丁合データより丁合照合対象を例えばＩＤで特定して後述の照合ＴＢ３０より対応の透過量データを取得し、上記受光データ解析手段２５で解析した透過量とを照合するもので、範囲外の時に例えばシステム停止の信号を発生させたり、警告音を発生させたりする。上記発光制御手段２７は、上記発光手段１４に対して白色光の照射を行わせる制御信号を生成して出力する。
【００２１】
また、上記丁合体供給制御手段２８は、丁合体供給手段１２に対して各丁合体１７Ａ〜１７Ｃを丁合体搬送手段１３に順次供給させるための駆動制御信号を生成して出力する。上記丁合体搬送制御手段２９は、上記丁合体搬送手段１３に対して供給される各丁合体１７Ａ〜１７Ｃを所定位置に搬送させるための駆動制御信号を生成して出力する。
【００２２】
そして、照合ＴＢ３０は、対象の丁合体に対して個別性（後述の例えばＩＤ）と色マークとの関連性を定めたもので、図２（Ｂ）にその一例が示される。すなわち、図２（Ｂ）において、例えば丁合体として各顧客毎に請求書等の帳票を丁合する場合、各顧客にはＩＤが付され、当該顧客固有のマーク色が定められ、当該マーク色に対する実測上の電気信号値としての透過量（誤差を含む）が関連付けられたものである。例えば、対象の各丁合体１７Ａ〜１７Ｃに印刷された各マーク色Ａ〜Ｃが共に「黄」の場合には透過量が「７０±１」とされ、各マーク色Ａ〜Ｃが共に「赤紫（マゼンタ）」の場合の透過量が「１４０±１」とされるものである。ところで、図２（Ｂ）の照合ＴＢ３０に各マーク色Ａ〜Ｃを含めたのは説明の便宜上のもので、上記丁合照合の手法からすれば必要のないものである。
【００２３】
なお、これらのマーク色Ａ〜Ｃの色設定は、各色の透過量が近似しない程度の数で定められ、この数以上の顧客数の場合には、定めた色数で順次繰り返して付すこととすればよい。これは、丁合対象がアンマッチングを生じる場合としては隣接した他の顧客対応の丁合体が紛れ込んで生じることが多く、少なくとも３色以上でそれぞれの透過量を近似させなければよいものである。
【００２４】
そこで、図３に図１の丁合システムにおける丁合体照合の処理フローチャートを示すと共に、図４に図１における丁合体照合の説明図を示す。ここでは、発光手段１３は、上記図２（Ｂ）に示したような透過量を得た時の条件と同様の条件（例えば照射強度）で設定されているものである。
【００２５】
図３において、まず、それぞれ個別の印刷情報および色マーク１８Ａ〜１８Ｃが印刷されている各種の丁合体１７Ａ〜１７Ｃが丁合順で丁合体供給手段１２に所定数セットされ、丁合処理手段１６に例えばホストコンピュータより丁合データが入力されて丁合データ取得手段２４に一端格納される（ステップ（Ｓ１））。当該丁合データは、丁合体供給手段１２にセットされた各丁合体１７Ａ〜１７Ｃの丁合順と同一の順番の丁合対象および色マーク情報である。
【００２６】
丁合体供給手段１２にセットされた各丁合体１７Ａ〜１７Ｃは、順次丁合体搬送手段１３上に供給され、総ての丁合体１７Ａ〜１７Ｃが重ねられた丁合体群１７が、各色マーク１８Ａ〜１８Ｃ部分が重ねられた状態で丁合照合位置に搬送される（Ｓ２）。上記各丁合体１７Ａ〜１７Ｃの重ねられた丁合体群１７が発光手段１４および受光手段１５の位置に搬送されてきたときに、図４に示すように、当該丁合体群１７の重なる各色マーク１８Ａ〜１８Ｃに対して当該丁合体群１７の一方面（裏面）から発光手段１４により設定された強度で白色光を照射させる（Ｓ３）。
【００２７】
そこで、丁合体群１７の他方面（表面）側に配置された受光手段１５では、発光手段１４からの白色光により互いに重なる色マーク１８Ａ〜１８Ｃを透過した光を入力して電気信号に変換し、丁合処理手段１６の受光データ解析手段２５に出力するもので、これに基づいて当該受光データ解析手段２５が電気信号としての透過量を算出する（Ｓ４）。照合手段２６では、対応丁合体の丁合データのＩＤより照合ＴＢ３０（図２（Ｂ）参照）を参照して設定された透過量データを取得する（Ｓ５）。
【００２８】
また、照合手段２６では、上記照合ＴＢ３０より取得した透過量データと、算出された透過量とを比較照合し（Ｓ６）、当該算出された透過量が透過量データの範囲内であれば、各丁合体１７Ａ〜１７Ｃに印刷された色マーク１８Ａ〜１８Ｃが同一であり、ひいては丁合体群１７のそれぞれの丁合体１７Ａ〜１７Ｃが関連されたものであるとして終了する（Ｓ７）。上記丁合体供給手段１２からの供給でダブルフィードされておらず、またセット時に順番の相違がなければ、当該各丁合体１７Ａ〜１７Ｃ同士はマッチングされているものである。
【００２９】
一方、照合手段２６において、上記照合ＴＢ３０より取得した透過量データと、算出された透過量とを比較照合した結果（Ｓ６）、当該算出された透過量が取得した透過量データの範囲より逸脱していれば（Ｓ７）、各丁合体１７Ａ〜１７Ｃの色マーク１８Ａ〜１８Ｃの何れか、または全部が同一でなく、ひいては各丁合体１７Ａ〜１７Ｃの何れかが関連されたものでないことから、システムの各駆動機構を停止させる停止信号を出力すると共に、適宜表示、音等の警告を発生させるものである（Ｓ８）。
【００３０】
このように、各丁合体１７Ａ〜１７Ｃに同一色（異なる色であってもよく、この場合については後述する）の色マーク１８Ａ〜１８Ｃが印刷されることから、最終的に対応の色同士であるか否かを作業者の目視照合で容易に行えるもので、また例えばアンマッチングとなったときに何れの丁合体が紛れ込んだかを容易に目視で確認することができるものである。また、上記目視照合が可能な形態であっても色マーク１８Ａ〜１８Ｃの色特性としての透過量を受光させることで当該色マーク１８Ａ〜１８Ｃの色を特定することが機械的に可能であることから、目視照合と相俟って丁合照合の確実性を図ることができるものである。
【００３１】
次に、図５に、本発明に係る丁合体照合における他の方法の説明図を示す。上記図１〜図４では、色特性として色マーク１８Ａ〜１８Ｃの透過量（または透過率）を検出することによって各丁合体１７Ａ〜１７Ｃのそれぞれが丁合対象であるか否かを照合する場合を示したが、図５では、色特性として色マーク１８Ａ〜１８Ｃの透過光のスペクトル（波長）を抽出して当該スペクトルを照合ＴＢ３０に予め定められているスペクトルと照合することによって各丁合体１７Ａ〜１７Ｃのそれぞれが正規の丁合対象か否かの照合を行わせるものである。
【００３２】
すなわち、図２に示す丁合処理手段１６の備える照合ＴＢ３０には、図５（Ａ）に示すように、例えば各顧客にはＩＤが付され、当該顧客固有のマーク色Ａ〜Ｃが例えばシアン、赤紫（マゼンタ）、黄、赤、緑、青紫でそれぞれサイクル的に定められ、当該マーク色Ａ〜Ｃに対する実測上の電気信号値から抽出されるスペクトル画像データのファイル名（透過光ファイル名とする）を関連付けたものである。
【００３３】
一例を示せば、ＩＤに対応する各マーク色Ａ〜Ｃが共に「シアン」の場合には「ｒｅｄ．ｂｍｐ」の透過光ファイル名が関連付けられ、「赤紫」の場合には「ｇｒｅｅｎ．ｂｍｐ」の透過光ファイル名が関連付けられ、「黄」の場合には「ｂｌｕｅ−ｖｉｏｌｅｔ．ｂｍｐ」の透過光ファイル名が関連付けられたものである。なお、印刷される色マークＡ〜Ｃの色に対して関連付けられた透過光ファイル名の色と異なるのは、当該色マークＡ〜Ｃの色を白色光が透過した場合に、当該色マークＡ〜Ｃで該当の色における白色光中の波長が吸収され、残る波長の色のものが透過することによる。
【００３４】
そして、上記透過光ファイル名に対応するスペクトル画像データが、図５（Ｂ）に示すように、それぞれのビットマップデータのファイルとして関連付けられたものである。この場合においても図５（Ａ）の照合ＴＢ３０に各マーク色Ａ〜Ｃを含めてあるのは説明の便宜上のもので、上記照合の手法からすれば必要のないものである。
【００３５】
そこで、図６に図５における丁合体照合の処理フローチャートを示すと共に、図７に図５における丁合体照合による色マーク照合の説明図を示す。この場合、図２（Ａ）に示す丁合処理手段１６における受光データ解析手段２５は、受光手段１５で入力した透過光における電気信号の受光データに基づいて各周波数成分を分解し各周波数における信号レベルからスペクトルを抽出し、当該スペクトルより例えばビットマップの画像データを作成する。また、照合手段２６は作成されたスペクトル画像データ（ビットマップデータ）と、図５（Ａ）、（Ｂ）の照合ＴＢ３０を参照して得られるスペクトル画像データとを比較照合するものである。
【００３６】
図６において、まず、それぞれ個別の印刷情報および色マーク１８Ａ〜１８Ｃが印刷されている各種の丁合体１７Ａ〜１７Ｃが丁合順で丁合体供給手段１２に所定数セットされ、丁合処理手段１６に例えばホストコンピュータより丁合データが入力されて丁合データ取得手段２４に一端格納される（Ｓ１１））。
【００３７】
丁合体供給手段１２にセットされた各丁合体１７Ａ〜１７Ｃは、順次丁合体搬送手段１３上に供給され、総ての丁合体１７Ａ〜１７Ｃが重ねられた丁合体群１７が、各色マーク１８Ａ〜１８Ｃ部分が重ねられた状態で丁合照合位置に搬送される（Ｓ１２）。上記各丁合体１７Ａ〜１７Ｃの重ねられた丁合体群１７が発光手段１４および受光手段１５の位置に搬送されてきたときに、上述の図４に示すように、当該丁合体群１７の重なる各色マーク１８Ａ〜１８Ｃに対して当該丁合体群１７の一方面（裏面）から発光手段１４により設定された強度で白色光を照射させる（Ｓ１３）。
【００３８】
そこで、丁合体群１７の他方面（表面）側に配置された受光手段１５では、発光手段１４からの白色光により互いに重なる色マーク１８Ａ〜１８Ｃを透過した光を入力して電気信号に変換し、丁合処理手段１６の受光データ解析手段２５に出力するもので、これに基づいて当該受光データ解析手段２５が各周波数成分を分解し各周波数における信号レベルからスペクトルを抽出する（Ｓ１４）。当該受光データ解析手段２５において上記スペクトルが抽出された場合には（Ｓ１５）、当該スペクトルに基づいてスペクトル画像データを作成し、照合手段２６が対応の丁合体１７Ａ〜１７Ｃの丁合データに応じたＩＤより照合ＴＢ３０を参照して対応の透過光ファイル名から該当のスペクトル画像データを取得する（Ｓ１６）。
【００３９】
照合手段２６は、照合ＴＢ３０を参照して取得したスペクトル画像データと、受光データ解析手段２５が作成したスペクトル画像データとを比較照合する（Ｓ１７）。照合の結果、互いに一致するか若しくは所定の類似範囲である場合には、当該丁合体群１７（丁合体１７Ａ〜１７Ｃ）にそれぞれ印刷された色マーク１８Ａ〜１８Ｃが同一であり、ひいては丁合体群１７のそれぞれの丁合体１７Ａ〜１７Ｃが関連されたものであるとして終了する（Ｓ１８）。
【００４０】
例えば、各丁合体１７Ａ〜１７Ｃに印刷された色マーク１８Ａ〜１８Ｃが共にシアンであれば、受光データ解析手段２５により抽出されるスペクトルが、図７（Ａ）に示すような赤のスペクトルであり、これに基づいてビットマップデータとしてのスペクトル画像データを作成する。一方で、照合手段２６ではＩＤより図５（Ａ）に示す照合ＴＢ３０を参照して、図５（Ｂ）に示す「ｒｅｄ．ｂｍｐ」の透過ファイル名におけるビットマップデータのスペクトル画像データを取得して、当該取得したスペクトル画像データと、上記作成された図７（Ａ）に示すスペクトルのスペクトル画像データとを比較照合するものである。
【００４１】
同様に、各丁合体１７Ａ〜１７Ｃに印刷された色マーク１８Ａ〜１８Ｃが共に赤紫（マゼンタ）であれば、受光データ解析手段２５により抽出されるスペクトルが、図７（Ｂ）に示すような緑のスペクトルであり、これに基づいて作成されたビットマップデータとしてのスペクトル画像データと、照合手段２６でＩＤより取得した図５（Ｂ）に示す「ｇｒｅｅｎ．ｂｍｐ」の透過ファイル名におけるビットマップデータのスペクトル画像データとを比較照合するものである。
【００４２】
上記Ｓ１８における照合の結果、互いに一致せず所定の類似範囲を逸脱している場合には、各丁合体１７Ａ〜１７Ｃの色マーク１８Ａ〜１８Ｃの何れか、または全部が同一でなく、ひいては各丁合体１７Ａ〜１７Ｃのそれぞれが関連されたものでないことから、システムの各駆動機構を停止させる停止信号を出力すると共に、適宜表示、音等の警告を発生させるものである（Ｓ１９）。
【００４３】
例えば、丁合体１７Ａ、１７Ｂのそれぞれには各シアンの色マーク１８Ａ，１８Ｂが印刷され、丁合体１７Ｃに赤紫（マゼンタ）の色マーク１８Ｃが印刷されていた場合には、図７（Ｃ）に示すような黄色波長のスペクトル（異なる色の場合にはエネルギが減少する）となり、これに基づいて作成されたビットマップデータとしてのスペクトル画像データと、照合手段２６でＩＤ（シアン）より取得した図５（Ｂ）に示す「ｒｅｄ．ｂｍｐ」の透過ファイル名におけるビットマップデータのスペクトル画像データとを比較照合したときに、そのエネルギおよびスペクトル分布の周波数帯が異なることになってアンマッチングであると判断するものである。
【００４４】
ところで、上記Ｓ１５において、受光データ解析手段２５がスペクトルを抽出できない場合がある。それは、各色マーク１８Ａ〜１８Ｃの色が互いに異なる場合であって、その混色が白または黒となってスペクトルを抽出することができないからである。この場合においても各丁合体１７Ａ〜１７Ｃに印刷された色マーク１８Ａ〜１８Ｃの一部または全部が同一でなく、ひいては各丁合体１７Ａ〜１７Ｃのそれぞれが関連されたものでないことから、システムの各駆動機構を停止させる停止信号を出力すると共に、適宜表示、音等の警告を発生させるものである（Ｓ１９）。
【００４５】
このように、マッチング照合を行うに際して、色マーク１８Ａ〜１８Ｃの色特性としてスペクトル（波長）を使用することによっても当該色マーク１８Ａ〜１８Ｃの色を特定することが機械的に可能であることから、目視照合と相俟って丁合照合の確実性を図ることができるものである。
【００４６】
次に、図８に、本発明に係る照合対象における他の形態の説明図を示す。上記実施形態では、各丁合体１７Ａ〜１７Ｃに対して同一色の色マーク１８Ａ〜１８Ｃを印刷させて丁合照合させる場合を示したが、図８では各丁合体１７Ａ〜１７Ｃに異なる色の色マークを印刷させる場合を示したものである。
【００４７】
例えば、図８（Ａ）に示すように、丁合体１７Ｂ，１７Ｃに同一色の色マーク１８Ｂ，１８Ｃを重なる位置に印刷させ、丁合体１７Ａに上記色マーク１８Ｂ，１８Ｃとは異なる色マーク１８Ａを互いに重なる位置に印刷させるもので、このようにしてもそれらを予め関連付けておけば各丁合体１７Ａ〜１７Ｃの丁合照合を行うことができるものである。この場合、色特性として、透過量を用いる場合の一例が図８（Ｂ）に示され、スペクトル（波長）を用いる場合の一例が図８（Ｃ）に示されるものである。
【００４８】
このように、各丁合体１７Ａ〜１７Ｃに印刷する色マーク１８Ａ〜１８Ｃの色を異ならせることで顧客毎に設定する色の種類を増加させることができるもので、この場合の作業者による目視照合は対応表等を使用することによって行えば足りるものである。
【００４９】
【発明の効果】
以上のように、本発明によれば、丁合対象の各丁合体にはそれぞれ関連する印刷情報が印刷され、丁合対象同士の関連性を予め定めた色マークが同一部分にそれぞれ印刷されており、当該丁合対象の各丁合体のそれぞれが順次供給されて重ねられた丁合体群の重なる互いの色マークに対して色特性検出光を照射させ、その透過光に基づいて解析した互いの色マークにおける所定の色特性で当該互いの色マークの色が予め定められた色であるか否かで各丁合体の丁合照合を行わせることにより、容易に目視照合が可能な形態で機械的な丁合照合が可能となって各丁合体における丁合の確実性を図ることができるものである。
【図面の簡単な説明】
【図１】本発明に係る丁合システムの概略構成図である。
【図２】図１の丁合処理手段の構成図である。
【図３】図１の丁合システムにおける丁合体照合の処理フローチャートである。
【図４】図１における丁合体照合の説明図である。
【図５】本発明に係る丁合体照合における他の方法の説明図である。
【図６】図５における丁合体照合の処理フローチャートである。
【図７】図５における丁合体照合による色マーク照合の説明図である。
【図８】本発明に係る照合対象における他の形態の説明図である。
【符号の説明】
１１              丁合システム
１２              丁合体供給手段
１３              丁合体搬送手段
１４              発光手段
１５              受光手段
１６              丁合処理手段
１７Ａ〜１７Ｃ    丁合体
１７              丁合体群
１８              色マーク
３０              照合テーブル（ＴＢ）
【図１】
2004203588.tif 000003
【図２】
2004203588.tif 000004
【図３】
2004203588.tif 000005
【図４】
2004203588.tif 000006
【図５】
2004203588.tif 000007
【図６】
2004203588.tif 000008
【図７】
2004203588.tif 000009
【図８】
2004203588.tif 000010